(57)【要約】【課題】アドホックネットワークにおいて古い情報を処理可能な通信端末、情報制御方法およびシステムを提供する。【解決手段】ユーザＡの通信端末（１０）は、アドホック通信可能な無線インタフェースを有し、アドホック通信の相手となるユーザ（Ｂ，Ｃ，Ｄ）の通信端末との間でユーザ情報を送受信する通信部（１０１−１０３）と、相手の通信端末へ送信した自己のユーザ情報に対する操作情報を相手の通信端末へ送信するアドホック通信制御部（１０４）と、を有する。【選択図】図２
2013183252.tif 000002
【特許請求の範囲】
【請求項１】
アドホック通信可能な無線インタフェースを有する通信端末であって、
アドホック通信の相手端末との間でユーザ情報を送受信する通信手段と、
前記相手端末へ送信した自己のユーザ情報に対する操作情報を前記相手端末へ送信するユーザ情報制御手段と、
を有することを特徴とする通信端末。
【請求項２】
前記ユーザ情報制御手段は、前記通信端末において前記自己のユーザ情報が操作されたとき、同じ操作情報を前記相手端末へ送信する、ことを特徴とする請求項１に記載の通信端末。
【請求項３】
前記操作情報は、前記自己のユーザ情報の更新情報あるいは削除指示情報であることを特徴とする請求項１または２に記載の通信端末。
【請求項４】
前記相手端末から相手側ユーザ情報に対する相手側操作情報を受信すると、前記相手側操作情報に従って前記相手側ユーザ情報を操作する受信データ制御手段をさらに有することを特徴とする請求項１−３のいずれか１項に記載の通信端末。
【請求項５】
アドホック通信可能な無線インタフェースを有する通信端末間の情報制御方法であって、
アドホック通信の相手端末との間でユーザ情報を送受信し、
前記相手端末へ送信した自己のユーザ情報に対する操作情報を前記相手端末へ送信し、
前記操作情報を受信した前記相手端末が前記操作情報に従って前記受信したユーザ情報を操作する、
ことを特徴とする通信端末間の情報制御方法。
【請求項６】
送信元の通信端末において前記自己のユーザ情報が操作されたとき、同じ操作情報を前記相手端末へ送信する、ことを特徴とする請求項５に記載の通信端末間の情報制御方法。
【請求項７】
前記操作情報は、前記自己のユーザ情報の更新情報あるいは削除指示情報であることを特徴とする請求項５または６に記載の通信端末間の情報制御方法。
【請求項８】
アドホック通信可能な無線インタフェースを有する通信端末間の情報制御システムであって、
第１通信端末がアドホックネットワークを構成する第２通信端末へ第１ユーザ情報を送信し、
前記第１通信端末が、前記第２通信端末へ送信した第１ユーザ情報に対する操作情報を前記第２通信端末へ送信し、
前記第２通信端末が前記操作情報に従って前記受信した第１ユーザ情報を操作する、
ことを特徴とする情報制御システム。
【請求項９】
アドホック通信可能な無線インタフェースを有する通信端末のコンピュータを機能させるプログラムであって、
アドホック通信の相手端末との間でユーザ情報を送受信する通信機能と、
前記相手端末へ送信した自己のユーザ情報に対する操作情報を前記相手端末へ送信するユーザ情報制御機能と、
を前記コンピュータに実現することを特徴とするプログラム。
【発明の詳細な説明】
【技術分野】
【０００１】
本発明は、アドホック通信可能な無線インタフェースを有する通信端末に係り、特に端末間でのユーザ情報制御方法およびシステムに関する。
【背景技術】
【０００２】
無線ＬＡＮあるいはBluetooth（登録商標）等の近距離無線通信機能を用いてアドホックネットワークを構成し、近距離にある携帯端末間で通信を実現する方法が提案されている（たとえば特許文献１など）。このようなアドホックネットワークではリアルタイムで情報の提供や共有が可能となることから、実際に様々のシチュエーションで利用されている。
【０００３】
たとえば、地元の商店街では、訪れた客に対してセールの情報などをリアルタイムで報知することができる。また、アミューズメントパークでは、パーク内にいくつかのRFIDリーダを設置しておき、来場者の子供に配布したRFIDタグをRFIDリーダに読み込ませることで、迷子になった子供のRFIDタグのログ情報から子供の位置を検知し見つけることができる。たとえば特許文献２には無線タグを利用した見守りシステムが開示されている。
【先行技術文献】
【特許文献】
【０００４】
【特許文献１】特開２００１−２８５３４５号公報
【特許文献２】特開２００９−２４５２９９号公報
【発明の概要】
【発明が解決しようとする課題】
【０００５】
しかしながら、上述したアドホック通信システムでは、提供された情報がユーザの携帯端末に残ったままとなり、既に古くなった情報が最新の情報として表示されるという不都合が生じる。商店街の例では、商店街の無線システムがユーザ端末に情報を提供するだけであるために、通知された情報にユーザが気付いた時にはセールが既に終わっている場合もあり得る。また、古い情報がユーザ端末に蓄積されると、メモリを無駄に消費するだけでなく、最新の有用な情報が埋もれてしまうこともあり得る。
【０００６】
そこで、本発明の目的は、アドホックネットワークにおいて古い情報を処理可能な通信端末、情報制御方法およびシステムを提供することにある。
【課題を解決するための手段】
【０００７】
本発明による通信端末は、アドホック通信可能な無線インタフェースを有する通信端末であって、アドホック通信の相手端末との間でユーザ情報を送受信する通信手段と、前記相手端末へ送信した自己のユーザ情報に対する操作情報を前記相手端末へ送信するユーザ情報制御手段と、を有することを特徴とする。
【０００８】
本発明による通信端末間の情報制御方法は、アドホック通信可能な無線インタフェースを有する通信端末間の情報制御方法であって、アドホック通信の相手端末との間でユーザ情報を送受信し、前記相手端末へ送信した自己のユーザ情報に対する操作情報を前記相手端末へ送信し、前記操作情報を受信した前記相手端末が前記操作情報に従って前記受信したユーザ情報を操作する、ことを特徴とする。
【０００９】
本発明による通信端末間の情報制御システムは、アドホック通信可能な無線インタフェースを有する通信端末間の情報制御システムであって、第１通信端末がアドホックネットワークを構成する第２通信端末へ第１ユーザ情報を送信し、前記第１通信端末が、前記第２通信端末へ送信した第１ユーザ情報に対する操作情報を前記第２通信端末へ送信し、前記第２通信端末が前記操作情報に従って前記受信した第１ユーザ情報を操作する、ことを特徴とする。
【００１０】
本発明による通信端末は、アドホック通信可能な無線インタフェースを有する通信端末であって、アドホック通信の相手端末から当該相手端末のユーザ情報を受信する通信手段と、前記相手端末から当該ユーザ情報に対する操作情報を受信すると前記操作情報に従って前記ユーザ情報を操作するユーザ情報制御手段と、を有することを特徴とする。
【発明の効果】
【００１１】
本発明によれば、アドホックネットワークにおいて古い情報を処理することができる。
【図面の簡単な説明】
【００１２】
【図１】図１はアドホックネットワークの一例を示すネットワーク構成図である。
【図２】図２は本発明の一実施形態による通信端末のアドホック通信関連機能を示すブロック図である。
【図３】図３は図２に示す通信端末の送信動作を示すフローチャートである。
【図４】図４は通知されるユーザ情報の一例を示すフォーマット図である。
【図５】図５は図２に示す通信端末の端末間情報制御方法における受信動作および更新動作を示すフローチャートである。
【図６】図６は本実施形態における更新動作を説明するためのユーザ情報の一例を示す図である。
【図７】図７は図６に示す更新動作における送信情報の表示例を示す模式図である。
【図８】図８は図２に示す通信端末の端末間情報制御方法におけるユーザ情報削除動作の一例を示すフローチャートである。
【図９】図９は図２に示す通信端末によるアドホックネットワークの変更例を示すネットワーク模式図である。
【図１０】図１０は図９に示すアドホックネットワークの変更によるユーザ情報削除動作の一例を示すフローチャートである。
【図１１】図１１は図２に示す通信端末のユーザ情報表示動作を示すフローチャートである。
【図１２】図１２は図１１に示すユーザ情報表示動作による表示例を示す模式図である。
【発明を実施するための形態】
【００１３】
本発明の一実施形態によれば、相手端末に情報を通知した通知元端末が当該相手端末に通知した情報を操作することができる。より詳しくは、本実施形態による通信端末は、アドホック通信を用いてユーザ情報(ユーザ名や現在の状態など)を相手側端末との間で互いにやりとりし、さらに相手側端末に通知したユーザ情報に対して更新あるいは削除等の制御を行うことができる。たとえば、通知元のユーザが自己のユーザ端末でユーザ情報を更新したり削除したりすると、そのたびに更新情報あるいは削除指示を相手側に通知する。これにより相手側端末へ常に最新の情報をリアルタイムで通知できると共に、相手方端末における古いユーザ情報の残存を防止できる。
【００１４】
ここでは説明を簡略化するために、図１に示すように、ユーザＡの通信端末がユーザＢ−Ｄの各通信端末と直接接続し、ユーザＡが通知元となってユーザ情報をユーザＢ−Ｄの各々へ送信する場合を例示するが、任意のユーザ端末が通知元となり得る。なお、ユーザ端末は、後述するようにアドホック通信機能を有する携帯電話機や情報通信端末等の携帯端末であればよい。以下、本発明の一実施形態について図面を参照しながら詳細に説明する。
【００１５】
１．通信端末
図２に示すように、携帯端末１０は無線デバイス１０１を有し、移動通信システムの基地局や他の携帯端末との無線通信が可能であり、ここでは１対Ｎ通信（Ｎは通常２以上）を実現する。データ送信処理部１０２は、後述するアプリケーションのデータ構造であるユーザ情報を送信可能状態し、無線デバイス１０１を通してアドホックネットワーク先の相手端末へ送信する。データ受信処理部１０３は、アドホックネットワーク先の相手端末から受信したユーザ情報を受信し、アプリケーションのデータ構成に変換する。
【００１６】
アドホック通信制御部１０４は無線デバイス１０１、データ送信処理部１０２およびデータ受信処理部１０３を制御することにより、本実施形態によるアドホック通信、ユーザ情報の送受信およびユーザ情報の処理を制御する。なお、携帯端末１０の動作を制御するＣＰＵ等からなる制御部が、図示しないメモリに格納されたアドホック通信機能用のアプリケーションソフトウエアを実行することで、アドホック通信制御部１０４の機能を実現してもよい。
【００１７】
さらに、後述するように、登録リスト１０５には登録端末名および登録グループ名等の情報が格納されている。アドホック通信制御部１０４は登録リスト１０５を参照して、登録グループ名の登録端末から通知されたユーザ情報であれば、当該ユーザ情報のデータを受信データ蓄積部１０６の該当する登録グループ名で格納する。また、相手端末からのユーザ情報更新あるいは削除指示があれば、アドホック通信制御部１０４の制御の下で、受信データ制御部１０７が受信データ蓄積部１０６に格納された該当するユーザ情報を識別し、更新あるいは削除等の制御を行う。ユーザインタフェース入出力部１０８は、操作メニューやデータを表示するためのディスプレイおよびユーザが指示やデータを選択入力するための入力装置（キーボードなど）である。
【００１８】
なお、図２には、アドホック通信に関連した機能構成のみを図示しており、その他移動通信関連の機能構成は省略している。
【００１９】
２．動作
携帯端末１０がコミュニケーション機能を開始する際、ユーザは、ユーザインタフェース入出力部１０８のディスプレイに表示されたメニューからアドホックネットワークでのユーザ情報の「送信」、「受信」あるいは「送受信」を選択することで、次に述べる動作を開始することができる。「送信」を選択した場合、自身のユーザ情報を他のユーザに通知するが、他のユーザから送られてきた情報は破棄する。「受信」を選択した場合、自身のユーザ情報を他のユーザに通知せず、他のユーザから送られてきた情報を受信する。「送受信」を選択した場合、自身のユーザ情報を他のユーザに通知し他のユーザから送られてきた情報を受信する。以下、「ユーザ情報の通知動作」、「ユーザ情報の受信動作」、「ユーザ情報の更新動作」、「通知したユーザ情報の削除動作」、「アドホックネットワークから外れた場合の動作」および「受信したユーザ情報の表示動作」について順に説明する。
【００２０】
２．１）ユーザ情報の通知
図３において、コミュニケーション開始時に「送信」または「送受信」が選択された場合、アドホック通信制御部１０４は、無線デバイス１０１に相手携帯端末の探索・接続が可能な設定を行い、無線デバイス１０１を制御してアドホック設定をしている携帯端末の探索を指示する（動作２０１）。これを受けて、無線デバイス１０１はアドホック通信機能を設定している携帯端末を探索する（動作２０２）。
【００２１】
アドホック通信機能を設定している携帯端末を発見すると（動作２０３；ＹＥＳ）、アドホック通信制御部１０４は当該発見された携帯端末とアドホックネットワークを形成し（動作２０４）、登録リスト１０５を参照して当該携帯端末が事前に登録されているか否かを判断する（動作２０５）。この登録はＭＡＣ(Media Access Control)アドレスなどを用いて実現できる一般的な技術である。
【００２２】
発見された携帯端末が登録された携帯端末であれば（動作２０５；ＹＥＳ）、アドホック通信制御部１０４は当該携帯端末に対して予め登録している自身のユーザ情報をデータ送信処理部１０２および無線デバイス１０１を通して通知する（動作２０６）。発見された携帯端末が登録されていなければ（動作２０５；ＮＯ）、ユーザ情報の送信（動作２０６）は行わない。
【００２３】
続いて、アドホック通信制御部１０４はアドホックネットワークを形成している全ユーザに対して動作２０５および２０６を実行したか否かを判定し（動作２０７）、全ユーザにユーザ情報を送信するまで動作２０５および２０６を繰り返す。たとえば、複数の携帯端末を同時に発見しアドホックネットワークを形成した場合に、動作２０５および２０６を繰り返す。アドホックネットワークを形成している全ユーザに対してユーザ情報を送信すると（動作２０７；ＹＥＳ）、アドホック通信制御部１０４はアドホックネットワーク外でアドホック通信機能を設定した端末があるかどうか判定し（動作２０８）、そのような端末があれば（動作２０８；ＹＥＳ）、動作２０４へ戻って上記動作２０４−２０８を繰り返す。
【００２４】
図４に示すように、送信されるユーザ情報はアドホックネットワーク内に送信されるパケットのデータ領域に格納され、たとえばグループ名、端末名、操作（更新、削除など）およびコメントデータからなる。
【００２５】
２．２）ユーザ情報の受信
図５において、コミュニケーション開始時に「受信」または「送受信」が選択された場合、アドホック通信制御部１０４は、上述した動作２０１−２０４と同様の動作３０１−３０４を実行しアドホックネットワークを形成する。
【００２６】
続いて、データ受信処理部１０３がアドホックネットワークを形成している他の携帯端末からユーザ情報を受信すると（動作３０５）、アドホック通信制御部１０４は登録リスト１０５を参照して当該受信したユーザ情報のグループ名が予め登録されているか否かを判定する（動作３０６）。登録されていれば（動作３０６；ＹＥＳ）、アドホック通信制御部１０４は受信データ蓄積部１０６を参照して新規のユーザ情報であるか否かを判定する（動作３０７）。新規のユーザ情報であれば（動作３０７；ＹＥＳ）、当該ユーザ情報からデータを抽出し受信データ蓄積部１０６の該当する登録グループ名に蓄積する（動作３０８）。新規のユーザ情報でなければ（動作３０７；ＮＯ）、受信データ蓄積部１０６の該当する登録グループ名にある古い受信データを新たな受信データで上書きして更新する（動作３０９）。なお、受信したユーザ情報のグループ名が予め登録されているグループ名のいずれとも一致しない場合には（動作３０６；ＮＯ）、受信データは破棄される（動作３１０）。
【００２７】
続いて、アドホック通信制御部１０４は動作３０８、３０９あるいは３１０の処理を行っていない受信データがあるか否かを判定し（動作３１１）、未処理データがなくなるまで上記動作３０６−３１０を繰り返す。
している自身のユーザ情報をデータ送信処理部１０２および無線デバイス１０１を通して通知する（動作２０６）。発見された携帯端末が登録されていなければ（動作２０５；ＮＯ）、ユーザ情報の送信（動作２０６）は行わない。
【００２８】
続いて、アドホック通信制御部１０４はアドホックネットワーク外でアドホック通信機能を設定した端末があるかどうか判定し（動作３１２）、そのような端末があれば（動作３１２；ＹＥＳ）、動作３０４へ戻って上記動作３０４−３１１を繰り返す。
【００２９】
２．３）データ更新の表示例
図４の動作３０９で説明したように、同じユーザの携帯端末から同じグループ名でデータを受信したときに受信データの更新が行われる。したがって、送信側の携帯端末でユーザがあるグループ名でデータを更新して送信する毎に、受信側の携帯端末ではデータの更新が行われる。送信側のデータ更新の一例を次に説明する。
【００３０】
図６に示すように、最初のユーザ情報として、グループ名「Ａ大学」、端末名「ユーザＡ」、今後の予定データ「ご飯を食べに行く」およびコメントデータ「今から暇なやつ集合！」を通知したとする（図３の動作２０６参照）。その後、ユーザＡがコメントデータを「１６時に集合することに変更しました。」と更新すると、受信データ制御部１０７が受信データ蓄積部１０６の該当データを更新した後、アドホック通信制御部１０４はデータ送信処理部１０２および無線デバイス１０１を制御して、当該更新したユーザ情報をアドホックネットワーク内の携帯端末へ送信する。
【００３１】
送信データを更新する場合、図７に示すように、ユーザインタフェース入出力部１０８は、携帯端末１０のディスプレイに最初の送信情報（今後の予定データおよびコメントデータ）を更新／削除ボタンと共に表示し、更新を選択することで新たなデータを入力可能にする。こうして更新されたユーザ情報が相手端末へ送信される。
【００３２】
２．４）削除動作
次に、図８を参照しながら、通知元の携帯端末１０がアドホックネットワーク内で通知したユーザ情報を削除する動作について説明する。まず、ユーザが既に送信したユーザ情報を削除する場合には、まず、図７に示すように、ユーザインタフェース入出力部１０８のディスプレイに最初の送信情報を更新／削除ボタンと共に表示させ、ユーザインタフェース入出力部１０８の入力装置から「削除」を選択する。
【００３３】
図８において、ユーザがユーザ情報の「削除」を選択すると（動作４０１）、アドホック通信制御部１０４はデータ送信処理部１０２および無線デバイス１０１を制御して、アドホックネットワーク先の相手端末へ既に通知したユーザ情報を特定する情報と共に削除指示を送信する（動作４０２）。
【００３４】
受信側の携帯端末が削除指示を含む情報を受信すると（動作４０３）、アドホック通信制御部１０４は登録リスト１０５を参照して当該受信したユーザ情報のグループ名が予め登録されているか否かを判定する（動作４０４）。登録されていれば（動作４０４；ＹＥＳ）、アドホック通信制御部１０４は受信情報が削除指示であるか否かを判定し（動作４０５）、削除指示であれば（動作４０５；ＹＥＳ）、受信データ蓄積部１０６から該当するデータを削除する（動作４０６）。削除指示でなければ（動作４０５；ＮＯ）、データの削除は行わない。なお、受信したユーザ情報のグループ名が予め登録されているグループ名のいずれとも一致しない場合には（動作４０４；ＮＯ）、受信データは破棄される（動作４０７）。
【００３５】
ここでは、送信側のユーザがユーザ情報の「削除」を選択する場合を例示したが、送信側の携帯端末１０でアドホック通信機能のアプリケーションを終了させた場合も、同様にユーザ情報の削除指示を送信して、既に通知したユーザ情報を削除するように制御してもよい。
【００３６】
２．５）アドホックネットワークからの離脱
本実施形態によれば、携帯端末１０がアドホックネットワークを形成した状態で、情報の通知元である携帯端末（Ｂ−Ｄのいずれか）がアドホックネットワークから外れた場合、その外れた携帯端末から通知された情報が削除される。以下、図９に示すネットワーク変更を一例として説明する。
【００３７】
図９において、ユーザＡ−Ｄの携帯端末からなるアドホックネットワークＡＤＨＯＣ１では、各ユーザの携帯端末は他のユーザの携帯端末との間でユーザ情報を互いに通知している。この状態からユーザＣが離脱あるいはアドホックアプリケーションを終了させた場合、ユーザ情報の削除指示を送信しなくとも、アドホックネットワークＡＤＨＯＣ２を形成する残りのユーザＡ−Ｃはそれぞれ以下の削除動作を実行することができる。
【００３８】
図１０に示すように、アドホック通信制御部１０４は、ユーザＣの携帯端末から通信が所定時間以上途絶えると、ユーザＣがアドホックネットワークを離脱したと判断し（動作５０１）、当該ユーザＣから通知されたデータを受信データ蓄積部１０６から検索する（動作５０２）。ユーザＣのデータがあれば（動作５０３；ＹＥＳ）、アドホック通信制御部１０４はユーザインタフェース入出力部１０８のディスプレイに削除確認の表示を行い、ユーザが削除指示をすると（動作５０４；ＹＥＳ）、当該ユーザＣのデータを受信データ蓄積部１０６から削除する（動作５０５）。該当するユーザデータが内場合（動作５０３；ＮＯ）あるいは削除指示でなければ（動作５０４；ＮＯ）、データの削除は行わない。
【００３９】
２．６）受信ユーザ情報の表示動作
次に、携帯端末１０がユーザインタフェース入出力部１０８のディスプレイにユーザ情報を表示させる動作について説明する。ユーザ情報は図６に示す内容でグループ毎に受信データ蓄積部１０６に蓄積されているものとする。
【００４０】
図１１において、まず、受信データ制御部１０７はユーザインタフェース入出力部１０８のディスプレイにグループの一覧を表示する（動作６０１）。このときの表示例を図１２（Ａ）に示す。
【００４１】
グループ一覧が表示された状態で、ユーザがグループの一覧から特定のグループを選択した場合、受信データ制御部１０７は選択したグループに蓄積したデータの一覧をディスプレイに表示する（動作６０２）。Ａ大学のグループを選択したときの表示例を図１２（Ｂ）に示す。
【００４２】
選択されたグループのデータ一覧が表示された状態で、ユーザが特定のユーザを選択した場合、受信データ制御部１０７は選択したユーザのユーザ情報の詳細をディスプレイに表示する（動作６０３）。ユーザＡを選択した時の表示例を図１２（Ｃ）に示す。
【００４３】
３．効果
上述したように、本実施形態によれば、通知元のユーザが相手側へ既に通知した情報に対して更新あるいは削除指示を実行するたびに、当該更新情報あるいは削除指示が相手側へ通知されるので、リアルタイムで情報提供できると共に、古い情報の残存を防止できる。
【００４４】
また、アドホックネットワークを用いて監視対象が付帯するRFIDタグの位置を推定するシステムに本実施形態を適用すれば、古い位置情報が常に新しい情報に更新されるので、正確な追跡が可能となる。
【００４５】
４．付記
上述した実施形態の一部あるいは全部は、以下の付記のようにも記載されうるが、これらに限定されるものではない。
（付記１）
アドホック通信可能な無線インタフェースを有する通信端末であって、
アドホック通信の相手端末との間でユーザ情報を送受信する通信手段と、
前記相手端末へ送信した自己のユーザ情報に対する操作情報を前記相手端末へ送信するユーザ情報制御手段と、
を有することを特徴とする通信端末。
（付記２）
前記ユーザ情報制御手段は、前記通信端末において前記自己のユーザ情報が操作されたとき、同じ操作情報を前記相手端末へ送信する、ことを特徴とする付記１に記載の通信端末。
（付記３）
前記操作情報は、前記自己のユーザ情報の更新情報あるいは削除指示情報であることを特徴とする付記１または２に記載の通信端末。
（付記４）
アドホック通信可能な無線インタフェースを有する通信端末間の情報制御方法であって、
アドホック通信の相手端末との間でユーザ情報を送受信し、
前記相手端末へ送信した自己のユーザ情報に対する操作情報を前記相手端末へ送信し、
前記操作情報を受信した前記相手端末が前記操作情報に従って前記受信したユーザ情報を操作する、
ことを特徴とする通信端末間の情報制御方法。
（付記５）
送信元の通信端末において前記自己のユーザ情報が操作されたとき、同じ操作情報を前記相手端末へ送信する、ことを特徴とする付記４に記載の通信端末間の情報制御方法。
（付記６）
前記操作情報は、前記自己のユーザ情報の更新情報あるいは削除指示情報であることを特徴とする付記４または５に記載の通信端末間の情報制御方法。
（付記７）
アドホック通信可能な無線インタフェースを有する通信端末間の情報制御システムであって、
第１通信端末がアドホックネットワークを構成する第２通信端末へ第１ユーザ情報を送信し、
前記第１通信端末が、前記第２通信端末へ送信した第１ユーザ情報に対する操作情報を前記第２通信端末へ送信し、
前記第２通信端末が前記操作情報に従って前記受信した第１ユーザ情報を操作する、
ことを特徴とする情報制御システム。
（付記８）
前記第１通信端末において前記第１ユーザ情報が操作されたとき、同じ操作情報を前記第２通信端末へ送信することを特徴とする付記７に記載の情報制御システム。
（付記９）
前記操作情報は、前記第１ユーザ情報の更新情報あるいは削除指示情報であることを特徴とする付記７または８に記載の情報制御システム。
（付記１０）
アドホック通信可能な無線インタフェースを有する通信端末であって、
アドホック通信の相手端末から当該相手端末のユーザ情報を受信する通信手段と、
前記相手端末から当該ユーザ情報に対する操作情報を受信すると前記操作情報に従って前記ユーザ情報を操作する受信データ制御手段と、
を有することを特徴とする通信端末。
（付記１１）
前記操作情報は前記ユーザ情報の更新情報あるいは削除指示情報であることを特徴とする付記１０に記載の通信端末。
（付記１２）
アドホック通信可能な無線インタフェースを有する通信端末のコンピュータを機能させるプログラムであって、
アドホック通信の相手端末との間でユーザ情報を送受信する通信機能と、
前記相手端末へ送信した自己のユーザ情報に対する操作情報を前記相手端末へ送信するユーザ情報制御機能と、
を前記コンピュータに実現することを特徴とするプログラム。
（付記１３）
前記ユーザ情報制御機能は、前記通信端末において前記自己のユーザ情報が操作されたとき、同じ操作情報を前記相手端末へ送信する、ことを特徴とする付記１２に記載のプログラム。
（付記１４）
前記操作情報は、前記自己のユーザ情報の更新情報あるいは削除指示情報であることを特徴とする付記１３または１４に記載のプログラム。
【産業上の利用可能性】
【００４６】
本発明はアドホック通信機能を有する携帯端末およびそれによって形成されたアドホックネットワークに適用可能である。
【符号の説明】
【００４７】
１０  携帯端末
１０１  無線デバイス
１０２  データ送信処理部
１０３  データ受信処理部
１０４  アドホック通信制御部
１０５  登録リスト
１０６  受信データ蓄積部
１０７  受信データ制御部
１０８  ユーザインタフェース入出力部
【図１】
2013183252.tif 000003
【図２】
2013183252.tif 000004
【図３】
2013183252.tif 000005
【図４】
2013183252.tif 000006
【図５】
2013183252.tif 000007
【図６】
2013183252.tif 000008
【図７】
2013183252.tif 000009
【図８】
2013183252.tif 000010
【図９】
2013183252.tif 000011
【図１０】
2013183252.tif 000012
【図１１】
2013183252.tif 000013
【図１２】
2013183252.tif 000014